(57)【要約】【課題】施術後、インスツルメントをインスツルメントホルダーに戻す際、インスツルメントホースの引き戻しを自動的かつ迅速に行えるようにして、術者の負担を軽くする。【解決手段】インスツルメントホース４がインスツルメントホルダー２より垂下される型式のインスツルメントホルダーに適用され、インスツルメント３がインスツルメントホルダー２に載置されている非使用時、インスツルメントホース４はインスツルメントホース保持アーム１０によって１０1に示す状態に保たれている。施術時、インスツルメントホース保持アーム１０は１０2に示す位置にロックされている。施術後、インスツルメント３を前方に引っ張ると、ロックがはずれ、インスツルメントホース保持アーム１０がばね部材１２によってＢ方向に引っ張られ、迅速に１０1の位置に戻される。【選択図】図１
2009039406.tif 000002
【特許請求の範囲】
【請求項１】
インスツルメントホルダーより垂下されるインスツルメントホースを保持するインスツルメントホース保持アームを有し、該インスツルメントホース保持アームは、インスツルメントがインスツルメントホルダーに載置されている非使用時、後方に回動されて前記インスツルメントホースを後方に持ち上げて保持し、インスツルメントをインスツルメントホルダーから引き出して診療を行う使用時、前方に回動されて所定量回動された位置にロックされ、診療終了後、再度前方に回動されることにより前記ロックが解除されて後方に回動して前記インスツルメント非使用時状態に戻されることを特徴とする歯科用インスツルメントホース保持機構。
【請求項２】
前記インスツルメント保持アームと一体的に回動する制御板と、該制御板と協働する制御ロッドとを有し、前記制御板の表面には該制御板の回動方向に沿う制御ロッド案内溝を有し、該案内溝に前記制御ロッドが係合し、前記制御板が前記所定量回動された時に、前記インスツルメントホース保持アームの前方への回動が制限され、前記インスツルメントホース保持アームが略前記案内溝幅分後方に回動され、その位置にて後方への回動がロックされることを特徴とする請求項１に記載の歯科用インスツルメントホース保持機構。
【請求項３】
前記インスツルメントホース保持アームを前記非使用時の状態に引き戻すばね部材を有し、前記インスツルメントホース保持アームのロックが解除された時、該インスツルメントホース保持アームを前記非使用時の状態に引き戻すことを特徴とする請求項２に記載のインスツルメントホース保持機構。
【請求項４】
前記制御ロッド案内溝は、前記制御板の凹部によって形成される外周壁面と、該外周壁面に対向して設けられた内周壁面とによって形成され、該内周壁面は前記制御板に設けられた凹部内に設けられた制御ロッド案内板の外周壁面によって形成され、該制御ロッド案内板は前記凹部において、該制御ロッド案内板の外周壁面の一部が前記制御板の溝壁面に当接するよう弾性支持されていることを特徴とする請求項３に記載の歯科用インスツルメントホース保持機構。
【請求項５】
前記制御ロッド案内溝の外周壁面を形成する制御板には前記制御ロッドとの相対的移動を阻止する窪部を有し、前記制御板の外周壁面と協働して前記制御ロッド案内溝の内周壁面を形成する制御ロッド案内板には前記窪部に続く制御ロッド案内溝部において前記制御ロッドとの相対的移動を阻止する窪部を有し、前記制御ロッドが前記制御ロッド案内板に設けられた窪部と係合した時に、前記インスツルメントホース保持アームの前記非使用状態への回動がロックされることを特徴とする請求項４に記載の歯科用インスツルメントホース保持機構。
【発明の詳細な説明】
【技術分野】
【０００１】
本発明は、歯科用インスツルメントホースの保持機構、より詳細には、インスツルメントがインスツルメントホルダーに載置され、インスツルメントホースがインスツルメントホルダーより垂下される型式のインスツルメントホルダーに適用される歯科用インスツルメントホース保持機構であって、診療後、インスツルメントをインスツルメントホルダーに戻す際に、インスツルメントホースの引き戻しを簡単かつ迅速にして術者の負担を軽くするようにした歯科用インスツルメントホース保持機構に関する。
【背景技術】
【０００２】
図３は、本発明によるインスツルメントホース保持機構が適用される歯科ユニットのインスツルメントホルダー部の概略を示す図で、図中、１はワークテーブル、２はインスツルメントホルダー、３は、例えば、マイクロエンジン，エアータービン，シリンジ等の歯科治療用インスツルメント、４は各インスツルメントに電気，エアー，水等を供給するためのインスツルメントホースで、インスツルメント３はインスツルメントホルダー２上に、インスツルメントホース４をインスツルメントホルダー２から垂下した状態で載置されており、歯科治療に当り、術者が所望のインスツルメント３をインスツルメントホルダー２から引き出して使用するようになっている。
【発明の開示】
【発明が解決しようとする課題】
【０００３】
上述のごとき、インスツルメントホース４をインスツルメントホルダー２より垂下した状態でインスツルメント３をインスツルメントホルダー２上に載置する型式のインスツルメントホルダーを使用する場合、術者がインスツルメントホルダー２から診療に必要なインスツルメント３を引き出すと、当該インスツルメントに連結されているインスツルメントホース４も一緒に引き出されるが、診療後、インスツルメント３をインスツルメントホルダー２に戻す時、この引き出されたインスツルメントホース４も押し戻されなければならず、術者にとって、使用したインスツルメントをインスツルメントホルダーへ戻す作業は面倒くさいものであった。
【０００４】
本発明は、上述のごとき実情に鑑みてなされたものであり、インスツルメントがインスツルメントホルダー上に載置され、インスツルメントホースがインスツルメントホルダーより垂下される型式のインスツルメントホルダーに適用される歯科用インスツルメントホース保持機構において、診療後、使用したインスツルメントをインスツルメントホルダーへ戻す際に、術者に負担をかけることなく、迅速に戻すことができるようにしたインスツルメントホース保持機構を提供することを目的としてなされたものである。
【課題を解決するための手段】
【０００５】
請求項１の発明は、インスツルメントホルダーより垂下されるインスツルメントホースを保持するインスツルメントホース保持アームを有し、該インスツルメントホース保持アームは、インスツルメントがインスツルメントホルダーに載置されている非使用時、後方に回動されて前記インスツルメントホースを後方に持ち上げて保持し、インスツルメントをインスツルメントホルダーから引き出して診療を行う使用時、前方に回動されて所定量回動された位置にロックされ、診療終了後、再度前方に回動されることにより前記ロックが解除されて後方に回動して前記インスツルメント非使用時状態に戻されることを特徴としたものである。
【０００６】
請求項２の発明は、請求項１の発明において、前記インスツルメント保持アームと一体的に回動する制御板と、該制御板と協働する制御ロッドとを有し、前記制御板の表面には該制御板の回動方向に沿う制御ロッド案内溝を有し、該案内溝に前記制御ロッドが係合し、前記制御板が前記所定量回動された時に、前記インスツルメントホース保持アームの前方への回動が制限され、前記インスツルメントホース保持アームが略前記案内溝幅分後方に回動され、その位置にて後方への回動がロックされることを特徴としたものである。
【０００７】
請求項３の発明は、請求項２の発明において、前記インスツルメントホース保持アームを前記非使用時の状態に引き戻すばね部材を有し、前記インスツルメントホース保持アームのロックが解除された時、該インスツルメントホース保持アームを前記非使用時の状態に引き戻すことを特徴としたものである。
【０００８】
請求項４の発明は、請求項３の発明において、前記制御ロッド案内溝は、前記制御板の凹部によって形成される外周壁面と、該外周壁面に対向して設けられた内周壁面とによって形成され、該内周壁面は前記制御板に設けられた凹部内に設けられた制御ロッド案内板の外周壁面によって形成され、該制御ロッド案内板は前記凹部において、該制御ロッド案内板の外周壁面の一部が前記制御板の溝壁面に当接するよう弾性支持されていることを特徴としたものである。
【０００９】
請求項５の発明は、請求項４の発明において、前記制御ロッド案内溝の外周壁面を形成する制御板には前記制御ロッドとの相対的移動を阻止する窪部を有し、前記制御板の外周壁面と協働して前記制御ロッド案内溝の内周壁面を形成する制御ロッド案内板には前記窪部に続く制御ロッド案内溝部において前記制御ロッドとの相対的移動を阻止する窪部を有し、前記制御ロッドが前記制御ロッド案内板に設けられた窪部と係合した時に、前記インスツルメントホース保持アームの前記非使用状態への回動がロックされることを特徴としたものである。
【発明の効果】
【００１０】
本発明によると、施術後、インスツルメントを少し前方へ引き出すことにより、該インスツルメントをもとの位置（インスツルメントホルダー）に戻す力が作用するので、インスツルメントをインスツルメントホルダーに自動的にかつ迅速に戻すことができ、術者の負担が軽くなる。
【発明を実施するための最良の形態】
【００１１】
図１は、本発明によるインスツルメントホース保持機構を備えたインスツルメントホルダー部の要部概略構成図で、図中、１はワークテーブル、２はインスツルメントホルダー、３はインスツルメント、４はインスツルメントホースで、これらは、図３に示した従来技術と全く同様の機能を有するものである。
【００１２】
図１において、１０はインスツルメントホース保持アームで、該インスツルメントホース保持アーム１０は、例えば、ワークテーブル１の下部に、軸１１を中心に回動可能に取り付けられ、かつ、ばね部材１２によって、常時は、後方（Ｂ方向）に引っ張られて持ち上げられているようになっている。このインスツルメントホース保持アーム１０の先端部にはインスツルメントホース３が保持されており、該インスツルメントホース４は、常時（非使用時）は、図１に実線１０1にて示すように、床面より相当上方に持ち上げられて保持されており、これにより、インスツルメントホース４が床面等に接して汚れたりすることのないようになっている。
【００１３】
施術に当り、術者は、インスツルメント３をインスツルメントホルダー２より取り出し、ばね部材１２の引っ張り力に抗して引き出すと、インスツルメントホース保持アーム１０は軸１１を中心に矢印Ａ方向に回動し、図１中に破線１０2にて示す所定の位置にくると、該インスツルメントホース保持アーム１０はそれ以上回動しなくなるので、術者はインスツルメントを引く力を緩める。術者がインスツルメントを引く力を緩めると、インスツルメントホース保持アーム１０はばね部材１２の力によって少し戻され、その位置にロックされる。
【００１４】
術者は、インスツルメントホース保持アーム１０がロックされた状態で、かつ、その時のインスツルメントホース引き出し長さで診療を行うが、その時、インスツルメントホース４の垂下長さは、引き出された分だけ短く、従って、垂下したインスツルメントホース４の下端は床面より相当上方にあり、インスツルメントホースが床面に接して汚れるようなことはない。また、インスツルメントホース４の垂下量が小さいことから、垂下したインスツルメントホースにより引き戻す力も小さく、術者の負担も軽くて済む。
【００１５】
上述のようにして、インスツルメントホース保持アーム１０を所定位置にロックした後（例えば、診療後）、インスツルメントホース４を再度引っ張ると、インスツルメントホース保持アーム１０が少し前方に進み、ロックが解除され、インスツルメントホース保持アーム１０は、ばね部材１２の引っ張り力により、非使用時の位置、即ち、図１中に、実線１０1にて示した位置に迅速に戻り、術者を煩わすこともない。
【００１６】
図２は、前述のごときインスツルメントホース保持アーム１０の動作をシーケンシャルに説明するための図で、図中、１０はインスツルメントホース保持アーム、１１は該インスツルメント保持アーム１０を回動可能に支持するための軸で、常時（非使用時）は、図１に示したばね部材１２によって矢印Ｂ方向に回動され、図１に実線にて示した１０1の状態に保持されている。図２（Ａ）は、この非使用時の状態を示している。
【００１７】
図２において、２０はインスツルメントホース保持アーム１０の回動軸部周辺１０ａに一体的に設けられた制御板、２１は該制御板２０の凹部内に設けられた制御ロッド案内板で、該制御ロッド案内板２１は前記制御板２０と協働して制御ロッド案内溝２２を形成している。２３は前記制御ロッド案内板２１を回動自在に支持する支持ピンで、制御ロッド案内板２１は該支持ピン２３に対して、図示しない弾性ばね等により、矢印Ｃ方向にわずかな力で付勢されている。３０は制御アーム、３１は該制御アーム３０の先端に設けられた（紙面の裏側に向って垂直に延長した）制御ロッドで、該制御ロッド３１が、後述のように、前記制御ロッド案内溝２２と係合して、インスツルメントホース保持アーム１０の運動を制御する。
【００１８】
図２（Ａ）に示す非使用時の状態において、術者がインスツルメント３をインスツルメントホルダー２から引き出すと、ばね部材１２の引っ張り力に抗してインスツルメントホース保持アーム１０が矢印Ａ方向に回動し、制御ロッド３１が制御ロッド案内溝２２に入り（図２（Ｂ））、該制御ロッド案内溝部２２ａによって案内され、インスツルメント３を引き出すにつれて２２ｂ部まで進む（図２（Ｃ））。制御ロッド案内板２１は、前述のように、図示しないばね部材によって矢印Ｃ方向には付勢されているので、制御ロッド３１は案内溝２２ｃ側に導かれ、更に、インスツルメントを引くことによって、インスツルメントホース保持アーム１０は矢印Ａ方向に回転し、制御ロッド３１は、案内溝２２ｄ部まで進む（図２（Ｄ））。
【００１９】
制御ロッド３１が案内溝２２ｄまで進むと、該制御ロッド３１に制御板２０の溝壁面（窪部２２ｄ）が当り（図２（Ｄ））、インスツルメントホース保持アーム１０は、それ以上（Ａ方向に）回動することはできなくなるので、術者は、ここで、インスツルメントを引き出す力を弱める。術者がインスツルメントを引き出す力を弱めると、ばね部材１２の引っ張り力によってインスツルメントホース保持アーム１０はＢ方向に引き戻され、制御ロッド３１は、制御ロッド案内板２１の溝壁面に設けられたロック部（窪部）２２ｅに係合し（図２（Ｅ））、これ以上、Ｂ方向に回転しない。この状態で、術者は施術を行うが、この時、インスツルメント３がインスツルメントホルダー２から引き出された分と対応して、インスツルメントホルダー２から垂下するインスツルメントホース４の長さが短くなり、インスツルメントホースが床面に接するようなことはなくなり、また、垂下したインスツルメントホースがインスツルメントを引き戻す力が弱く、術者の手にかかる負担が減少する。
【００２０】
前述のようにして、制御ロッド３１がロック部（窪部）２２ｅに係合した状態（図２（Ｅ）の状態）において、インスツルメントを再度引いて、インスツルメントホース保持アーム１０を矢印Ａ方向に引くと、制御ロッド３１は制御ロッド案内板２１のロック部２２ｅから外れ、案内溝２２ｆ内に入り、その後は、ばね部材１２の引っ張り力により矢印Ｂ方向に回動し（図２（Ｆ））、その後は、案内溝２２ａを通って図２（Ａ）に示した初期状態（図２（Ａ））に迅速に戻る。
【図面の簡単な説明】
【００２１】
【図１】本発明によるインスツルメントホース保持機構を備えたインスツルメントホルダー部の概略構成図である。
【図２】インスツルメントホース保持アームの動作説明を行うためのシーケンシャル図である。
【図３】本発明によるインスツルメントホース保持機構が適用される従来の歯科ユニットのインスツルメントホルダー部の概略を示す図である。
【符号の説明】
【００２２】
１…ワークテーブル、２…インスツルメントホルダー、３…インスツルメント、４…インスツルメントホース、１０…インスツルメントホース保持アーム、１１…インスツルメント保持アーム回動軸、１２…ばね部材、２０…制御板、２１…制御ロッド案内板、２２…制御ロッド案内溝、２３…制御ロッド案内板支持ピン、３０…制御アーム、３１…制御ロッド。
【図１】
2009039406.tif 000003
【図２】
2009039406.tif 000004
【図３】
2009039406.tif 000005